(57)【要約】【課題】本発明は、断熱性能の必要度に応じて重ねて使用できるようにした断熱シートを提供することにある。【解決手段】本発明に係る断熱シートは、基材の片面に粘着剤を塗布し、該粘着剤の塗布面に剥離紙を用い、前記基材の他面に断熱塗料を塗布してなり、前記粘着剤と断熱塗料とを互いに接着可能にしたことを特徴とし、剥離紙を剥がすことにより何層にも重ねて使用できるように構成した。また、前記断熱塗料が、前記粘着剤としてラテックスを用いた場合において、セラミックと水性ラテックスとの混合物を主成分とするものであることを特徴とし、１枚１枚の断熱塗料を含めた厚さが薄くて高い断熱性能が得られるように構成した。【選択図】図１
2013170645.tif 000002
【特許請求の範囲】
【請求項１】
基材の片面に、粘着剤を塗布し、該粘着剤の塗布面に剥離紙を用い、前記基材の他面に、断熱塗料を塗布してなる断熱シートにおいて、前記粘着剤と断熱塗料とが互いに親和性のあるものを用いていることを特徴とする断熱シート。
【請求項２】
前記断熱塗料が、前記粘着剤としてラテックスを用いた場合において、セラミックと水性ラテックスとの混合物を主成分とするものであることを特徴とする請求項１に記載の断熱シート。
【発明の詳細な説明】
【技術分野】
【０００１】
本発明は、断熱性能の必要度に応じて重ねて使用できるようにした断熱シートに関するものである。
【背景技術】
【０００２】
一般に、缶や湯飲み茶碗などは断熱性が低いため、熱くした缶や熱湯を入れた湯飲み茶碗などの表面を、直に、手で握ることはできない。これらに、予め、断熱剤を塗布すれば、缶や湯飲み茶碗などの断熱性を高め得ることができ、手で直に握ることができるようになる。ところが、その都度、断熱剤を塗ることは、非常に面倒であるため、基材の片面に粘着剤を塗布し、該基材の他面に断熱塗料を塗布したシートを用意し、熱くした缶や熱湯を入れた湯飲み茶碗などの表面に貼り付けるようにすれば、かかる面倒がないとする技術が、特開２０００−４６２８７号に記載されている。
【特許文献１】特開２０００−４６２８７号公報
【発明の開示】
【発明が解決しようとする課題】
【０００３】
しかしながら、上記特許文献１のものは、断熱性を有する基材の片面に塗布した粘着剤と、該基材の他面に塗布した断熱塗料とが、剥離紙無しでロール状に巻かれていることから、互いに接着性（片面が剥離紙の役目をしている）がなく、複数枚を重ねて使用できるものではなく、断熱性能をその必要度に応じて重ねて求めることができなかった。
【０００４】
本発明は、上記問題を解消するためのもので、その目的とするところは、断熱性能の必要度に応じて重ねて使用できるようにした断熱シートを提供することにある。
【０００５】
上記目的を達成するため、本発明は、基材の片面に、粘着剤を塗布し、該粘着剤の塗布面に剥離紙を用い、前記基材の他面に、断熱塗料を塗布してなる断熱シートにおいて、前記粘着剤と断熱塗料とが互いに親和性のあるものを用いていることを特徴とし、剥離紙を剥がすことにより何層にも重ねて使用できるように構成した。
【０００６】
また、請求項２に記載の発明は、前記断熱塗料が、前記粘着剤としてラテックスを用いた場合において、セラミックと水性ラテックスとの混合物を主成分とするものであることを特徴とし、１枚１枚の断熱塗料を含めた厚さが薄くて高い断熱性能が得られるように構成した。
【発明の効果】
【０００７】
本発明によれば、基材の片面に、粘着剤を塗布し、該粘着剤の塗布面に剥離紙を用い、前記基材の他面に、断熱塗料を塗布してなる断熱シートにおいて、前記粘着剤と断熱塗料とが互いに親和性のあるものを用いていることを特徴としているから、基材及び断熱塗料が伸縮性を有していることにより母材間の繋ぎ部に段差があっても、母材間に素材的に伸縮率の差があっても用いることが可能であるばかりでなく、所望の断熱性能を得るために重ねて使用できるという優れた効果を奏するものである。
【０００８】
また、請求項２に記載の発明によれば、前記断熱塗料が、前記粘着剤としてラテックスを用いた場合、セラミックと水性ラテックスとの混合物を主成分とするものであることを特徴としているから、断熱塗料と粘着剤には親和性があり、しかも、１枚１枚の断熱塗料を含めた厚さが薄くて高い断熱性能が得られるという優れた効果を奏するものである。
【発明を実施するための最良の形態】
【０００９】
次に、本発明の実施の態様を添付図面に基づいて説明する。図１はロール状に巻いた本願断熱シートの一部切欠斜視図、図２は本願断熱シートの略示的断面図、図３は本願断熱シートを段差のある母材間に貼った場合の断面図、図４は本願断熱シートを重ねて母材に貼る場合の断面図である。
【００１０】
図１において、１は断熱シートで、該断熱シート１は伸縮性を有する基材２の片面に粘着剤（自着層）３を塗布し、該粘着剤３の粘着面に剥離紙４を用いている。前記基材２の他面には前記粘着剤３と親和性のある断熱塗料５が塗布されている。
【００１１】
前記基材２の材質は、用途によって多様な材料が用いられる。例えば、織布、不織布、合成樹脂フィルム等がある。この合成樹脂フィルムとしては、０．１ｍｍ以下の変性ポリオレフィンフィルム、ナイロンフィルム、ポリエステルフィルム、ポリ塩化ビニリデンフィルム、フッ素樹脂フィルムなどが利用できる。
【００１２】
前記粘着剤３は、２つの面を接着するために用いる物質で、コロイド物質からなる。母材としてアルミサッシ等の金属面にも、木質面にもその他のあらゆる素材にも接着性のよいものになっていることが必要であり、カゼイン、にかわ、デンプンのり、ユリア樹脂、メラミン樹脂などがある。また、エポキシ系、シアノアクリレート系のものもある。可能であれば、母材に接着のための下塗り（プライマーの使用等）や防錆処理を不要とするものであることがよい。
【００１３】
前記基材２の他面に塗布してなる断熱塗料５は、均一性に塗布されている。均一性塗布は、ナイフ（図示せず）を用いて平坦に塗布することができる。色彩は顔料を混ぜることによって赤、青などの単一色か、縞模様、幾何学的模様を施すようにしてもよい。
【００１４】
前記断熱シート１の横幅は５ｃｍ〜１２０ｃｍ、長さは０．５ｍ〜５０ｍで、通常では、図１の如く、ロール状に巻設して用いる場合が多いが、幅や長さを任意に決定して、平板状のまま用いる場合もあり得る。
【００１５】
前記断熱塗料５は、例えば、前記粘着剤３としてラテックスを用いた場合、セラミック（シリカ）と水性ラテックスとの混合物を主成分とするものがよい。勿論、太陽からの放熱線及び伝導熱の２つの伝熱を高い効率で断熱するものであり、また、建物の屋根や壁、タンク、パイプ、ダクト等のあらゆる設備の断熱にも適応できるようにしている。
【００１６】
なお、前記断熱塗料５の塗膜は、０．１５〜２．００ｍｍの厚さの薄いものを、断熱性能の必要度に応じて重ねて使用することを前提としている。また、前記基材２は、粘着剤３の塗布面及び断熱塗料５の塗布面に、予め、微細凸面（又は微細エンボス）を形成しておくこともある。
【実施例１】
【００１７】
今、０．０２ｍｍ厚の変性ポリオレフィンフィルムを基材とし、その片面に、ラテックス（ゴム系の粘着剤）を塗布するとともに、その上に剥離紙を重ねる。該ＰＥＴフィルムの他面に、前記粘着剤と相性の良い断熱塗料（シリカと水性ラテックスの混合物）を塗布した後、横幅２５ｃｍ、長さ２０ｍに裁断して図１の如く、ロール状に巻設して本願断熱シート１をつくる。これを用いて図３の如く、外壁（母材Ａ）とその開口部ａに差し込んだサッシ枠（母材Ｂ）とを跨いで貼着した。基材が０．１ｍｍ厚の変性ポリオレフィンフィルムで伸縮性があり、断熱塗料５とともに伸びるため、外壁（母材Ａ）とその開口部ａに差し込んだサッシ枠（母材Ｂ）との間に段差ｂがあってもうまく貼ることができた。
【実施例２】
【００１８】
上記同様の本願断熱シート１を、外壁（母材Ａ）とその開口部に差し込んだサッシ枠（母材Ｂ）との間を跨いで貼着した。このとき、図４の如く、母材Ａ、Ｂ間には段差がないが、最初に貼ったシート１の断熱塗料５の上に、２枚目のシート１を、剥離紙４を剥がしつつ、重ねて貼る。さらに、２枚目のシートの断熱塗料５の上に、３枚目のシート１を、剥離紙４を剥がしつつ重ねて貼る（３枚重ね）。これは基材２の片面に塗布した粘着剤３と基材２の他面に塗布した断熱塗料５との相性が良いため可能である。
【００１９】
上記確認の結果、実施例１では、基材２の柔軟性で段差ｂがあっても接着が強固に行われ、実施例２では本願断熱シートを、断熱性能の必要度に応じて重ねて使用できることが判った。
【実施例３】
【００２０】
鉄骨フレームで５０ｍｍ厚の発泡ウレタンを介在したパネルを支えた工事現場事務所用プレハブハウス（直方形）の天井面１１．４平方メートル、同床面１１．４平方メートル、長壁面１５．１０５平方メートル×２、端壁面６．９５平方メートル×２の６面を、鉄骨フレームを含め、その外側を本願断熱シート（断熱塗料の厚さ０．５ｍｍ）で覆った。
【００２１】
一方、同構造及び同サイズの工事現場事務所用プレハブハウスと断熱効果を確認したところ、本願断熱シートを適用しない工事現場事務所用プレハブハウスの室外側では夏期には平均６０°Ｃ、室内側では平均５５°Ｃの表面温度であったが、本願断熱シートを適用した工事現場事務所用プレハブハウスの夏期における室内外での表面温度は平均４４°Ｃ、と２０％も改善した。
【産業上の利用可能性】
【００２２】
本願断熱シートは、基材が柔軟性を有し、被接着部位に段差があっても接着が強固に行えるとともに、本願断熱シートは断熱性能の必要度に応じて重ね貼りができるもので、木造建築分野、鉄筋コンクリート建築分野などにおいて利用可能性は高いものである。
【図面の簡単な説明】
【００２３】
【図１】ロール状に巻いた本願断熱シートの一部切欠斜視図である。
【図２】本願断熱シートの略示的断面図である。
【図３】本願断熱シートを段差のある母材間に貼った場合の断面図である。
【図４】本願断熱シートを重ねて母材に貼る場合の断面図である。
【符号の説明】
【００２４】
１  断熱シート
２  基材
３  粘着剤
４  剥離紙
５  断熱塗料
Ａ  母材
Ｂ  母材
【図１】
2013170645.tif 000003
【図２】
2013170645.tif 000004
【図３】
2013170645.tif 000005
【図４】
2013170645.tif 000006